(57)【要約】【課題】断熱箱体に形成された背面ダクトからの冷気を、内部に形成された棚ダクトに引き込み、当該冷気を前端に形成された冷気吐出口から吐出することができる棚の高さを容易に変更することができるショーケースを提供する。【解決手段】断熱壁３内に陳列室１１を構成し、該陳列室１１内に商品陳列用の可動棚２５を架設して成るショーケース１において、陳列室１１の背面に位置し、断熱壁３との間に冷気が上昇する背面ダクト９を構成するための背面パネル６と、可動棚２５に構成され、後端の連通部１０２にて背面ダクト９に連通すると共に、前端に棚下冷気吐出口７０が構成された棚ダクト５３と、当該可動棚２５を加熱する加温用ヒータＨとを備え、可動棚２２は、棚支柱３６に対して上下位置変更可能に架設されると共に、背面パネル６は、当該可動棚２５の位置変更に合わせて連通部１０２の上下位置を変更可能とした。【選択図】      図２
2004261502.tif 000002
【特許請求の範囲】
【請求項１】
断熱壁内に陳列室を構成し、該陳列室内に商品陳列用の棚を上下に複数段、架設して成るショーケースにおいて、
前記陳列室の背面に位置し、前記断熱壁との間に冷気が上昇する背面ダクトを構成するための背面パネルと、
前記棚に構成され、後端の連通部にて前記背面ダクトに連通すると共に、前端に冷気吐出口が構成された棚ダクトと、
前記棚を加熱する電気ヒータとを備え、
前記棚は、支柱に対して上下位置変更可能に架設されると共に、
前記背面パネルは、当該棚の位置変更に合わせて前記連通部の上下位置を変更可能とされていることを特徴とするショーケース。
【請求項２】
前記背面パネルは、上下に連結されて相互に重複する複数のパネル部材から構成され、相互の重複量が変更可能とされていることを特徴とする請求項１のショーケース。
【請求項３】
前記連通部の上側において前記背面ダクト内を開閉するダンパー部材とを備えることを特徴とする請求項１又は請求項２のショーケース。
【請求項４】
前記棚は、前記ダンパー部材を摺動自在に保持するダンパーレール部材を備え、該ダンパーレール部材内に前記電気ヒータの配線を収納したことを特徴とする請求項３のショーケース。
【請求項５】
前記ダンパーレール部材後端に対応する位置の前記背面ダクト内にシール材を設けたことを特徴とする請求項４のショーケース。
【請求項６】
前記ダンパー部材が前記背面ダクトを閉じたことを検出するための開閉検出手段と、前記電気ヒータへの通電を制御する制御手段とを備え、
該制御手段は、前記開閉検出手段の出力に基づき、前記ダンパー部材が前記背面ダクトを閉じた場合に、前記電気ヒータへの通電制御を行うことを特徴とする請求項３、請求項４又は請求項５のショーケース。
【請求項７】
前記制御手段は、前記ダンパー部材が前記背面ダクトを閉じた棚及び当該棚より上方に位置する棚の前記電気ヒータへの通電制御を行うことを特徴とする請求項６のショーケース。
【請求項８】
最上段に位置する前記棚の前記電気ヒータは前後に配置された少なくとも二系統から構成され、前記制御手段は、少なくとも当該最上段に位置する棚より下の段に位置する棚の前記電気ヒータが通電されていると共に、前記陳列室内を冷却する冷却装置が運転されている場合に、後側の系統の前記電気ヒータの通電を禁止することを特徴とする請求項７のショーケース。
【請求項９】
前記制御手段は、前記陳列室内を冷却する冷却装置のオフサイクル時には前記後側の系統の電気ヒータに通電することを特徴とする請求項８のショーケース。
【請求項１０】
断熱壁内に陳列室を構成し、該陳列室内の両側後部に上下に渡る支柱を設け、各支柱に商品陳列用の棚を架設して成るショーケースにおいて、
前記棚は、棚板と、該棚板の両側を保持するブラケットとから構成され、
該ブラケットは、前記各支柱に形成された取付孔に係脱自在に係合する係合爪を後端に有し、前記取付孔に進入して当該ブラケットの上下移動を規制する固定部材が着脱可能に取り付けられていることを特徴とするショーケース。
【請求項１１】
前記固定部材は、前記棚板上面より下方に位置していることを特徴とする請求項１０のショーケース。
【請求項１２】
断熱壁内に陳列室を構成し、該陳列室内の両側後部に上下に渡る支柱を設け、各支柱に商品陳列用の棚を架設して成るショーケースにおいて、
前記支柱は、前記棚が架設される複数の取付孔が上下に形成されると共に、
各取付孔は、前記棚に陳列される複数種類の商品の高さにそれぞれ対応した位置に形成されていることを特徴とするショーケース。
【請求項１３】
左右一対のブラケットにスライドレールを介して前後方向移動自在の棚を架設して成るショーケースにおいて、
前記棚には、当該棚と前記ブラケット間に位置して弾性を有するロック部材が設けられ、
該ロック部材は、前端の操作部と、該操作部の後方に形成されたフック部とを具備し、当該フック部が常時前記ブラケット方向に付勢されると共に、
前記ブラケットには、前記棚が押し込まれた際に前記ロック部材のフック部が係脱自在に係合する係合部を設けたことを特徴とするショーケース。
【請求項１４】
前記係合部は、外側から前記ブラケットに形成された挿入口を通過して前記棚側に臨み、当該ブラケットに固定された係合部材により構成されることを特徴とする請求項１３のショーケース。
【請求項１５】
前記両ブラケットの外側及び前記棚下側を被覆するカバー部材を備えたことを特徴とする請求項１３又は請求項１４のショーケース。
【発明の詳細な説明】
【０００１】
【発明の属する技術分野】
本発明は、断熱壁内に陳列室を構成し、この陳列室内に商品陳列用の棚を架設して成るショーケースに関するものである。
【０００２】
【従来の技術】
従来よりスーパーマーケットやコンビニエンスストアなどに設置されるショーケースは、断熱壁の内側に間隔を存して設けた仕切板との間にダクトを構成し、仕切板の内側には陳列室を構成すると共に、ダクトには冷却器と送風機を設置し、この冷却器と熱交換した冷気を送風機により、ダクトから陳列室内に吹き出す構成とされている。
【０００３】
この場合、陳列室の開口上縁には冷気吐出口が形成されると共に、開口下縁には冷気吸込口が形成され、何れもダクトに連通されている。そして、この開口上縁の冷気吐出口から冷気を吹き出し、エアーカーテンを形成しつつ陳列室内を冷却し、吹き出された冷気は開口下縁の冷気吹出口から吸引するものであった。
【０００４】
更に、この陳列室内には、複数段の棚が架設される。棚は、内部に棚ダクト（冷気通路）が構成されており、後端には断熱箱体の背方における背面ダクトと連通するための連通部が形成されている。また、棚の前端には、棚ダクトと連通する冷気吐出口が形成されている。これにより、背面ダクト内を上昇した冷気を連通部を介して棚ダクト内に引き込み、該棚の前端に形成された冷気吐出口より吐出することにより、該棚下方の陳列室内を冷却するものであった（特許文献１参照）。
【０００５】
【特許文献１】
特開２０００−２５８０３１号公報
【０００６】
【発明が解決しようとする課題】
しかしながら、前記背面ダクトを構成する背面パネル（仕切板）には、予め定められた高さにのみ、前記棚ダクトの連通部と連通するための連通孔（透孔）が形成されていたため、当該棚に陳列される商品の種類に応じて棚の高さを変更することができないという問題があった。
【０００７】
特に、陳列室の背方には、冷気が上昇する背面ダクトが形成されているため、棚の高さを変更したい位置に当該棚を架設するための取付孔を形成するのみでは、背面パネルに形成された連通孔と、棚の連通部の位置を合致させることができず、棚ダクト内に冷気を引き込むことができない。また、棚の高さを調整したい範囲に対応する背面パネルに複数の連通孔を形成すると、棚の連通部と連通していない連通孔から背面ダクト内の冷気が漏出してしまう不都合がある。
【０００８】
そこで、本発明は従来の技術的課題を解決するために成されたものであり、断熱箱体に形成された背面ダクトからの冷気を、内部に形成された棚ダクトに引き込み、当該冷気を前端に形成された冷気吐出口から吐出することができる棚の高さを容易に変更することができるショーケースを提供することを目的とする。
【０００９】
【課題を解決するための手段】
請求項１の発明のショーケースは、断熱壁内に陳列室を構成し、該陳列室内に商品陳列用の棚を上下に複数段、架設して成るものであって、陳列室の背面に位置し、断熱壁との間に冷気が上昇する背面ダクトを構成するための背面パネルと、棚に構成され、後端の連通部にて背面ダクトに連通すると共に、前端に冷気吐出口が構成された棚ダクトと、棚を加熱する電気ヒータとを備え、棚は、支柱に対して上下位置変更可能に架設されると共に、背面パネルは、当該棚の位置変更に合わせて連通部の上下位置を変更可能とされていることを特徴とする。
【００１０】
請求項１の発明によれば、断熱壁内に陳列室を構成し、該陳列室内に商品陳列用の棚を上下に複数段、架設して成るショーケースにおいて、陳列室の背面に位置し、断熱壁との間に冷気が上昇する背面ダクトを構成するための背面パネルと、棚に構成され、後端の連通部にて背面ダクトに連通すると共に、前端に冷気吐出口が構成された棚ダクトと、棚を加熱する電気ヒータとを備え、棚は、支柱に対して上下位置変更可能に架設されると共に、背面パネルは、当該棚の位置変更に合わせて連通部の上下位置を変更可能とされるので、棚の高さが変更された場合であっても、当該棚に形成された棚ダクトと連通部を連通させることができるようになる。
【００１１】
これにより、棚の高さを可変とすると共に、係る高さ可変の棚の前端に形成された冷気吐出口より背面ダクトを上昇する冷気を棚ダクトを介して吐出可能とするショーケースを提供することができるようになる。そのため、当該ショーケースの使用性の向上を図ることができるようになる。
【００１２】
また、陳列室への冷気供給を停止し、ヒータにより当該棚を加熱することにより、陳列室内を温蔵使用することができると共に、ヒータの発熱を停止し、陳列室内へ冷気を供給することで該陳列室内を冷蔵使用することができる。
【００１３】
これにより、陳列室内を種々の商品の陳列に適した温度に設定することができるようになり、使用性と汎用性が著しく向上するものである。
【００１４】
請求項２の発明のショーケースは、上記において、背面パネルは、上下に連結されて相互に重複する複数のパネル部材から構成され、相互の重複量が変更可能とされていることを特徴とする。
【００１５】
請求項２の発明によれば、上記において、背面パネルは、上下に連結されて相互に重複する複数のパネル部材から構成され、相互の重複量が変更可能とされているので、高さ可変とされる棚の高さに応じて、パネル部材の重複量を変更することにより、容易に、当該棚ダクトと連通する連通部の上下位置を変更可能とすることができるようになる。
【００１６】
請求項３の発明のショーケースは、上記各発明において、連通部の上側において背面ダクト内を開閉するダンパー部材とを備えることを特徴とする。
【００１７】
請求項３の発明によれば、上記各発明において、棚を加熱する電気ヒータと、連通部の上側において背面ダクト内を開閉するダンパー部材とを備えるので、ダンパー部材にて当該棚より上側の陳列室への冷気供給を停止し、ヒータにより当該棚を加熱することにより、当該棚より上側の陳列室内を温蔵使用することができると共に、ヒータの発熱を停止し、ダンパー部材にて当該棚より上側の陳列室内へ冷気を供給することで該陳列室内を冷蔵使用することができる。
【００１８】
これにより、陳列室内を種々の商品の陳列に適した温度に設定することができるようになり、使用性と汎用性が著しく向上するものである。
【００１９】
請求項４の発明のショーケースは、上記発明において、棚は、ダンパー部材を摺動自在に保持するダンパーレール部材を備え、該ダンパーレール部材内に電気ヒータの配線を収納したことを特徴とする。
【００２０】
請求項４の発明によれば、上記発明において、棚は、ダンパー部材を摺動自在に保持するダンパーレール部材を備え、該ダンパーレール部材内に電気ヒータの配線を収納したので、安全で、然も、外観上好適に電気ヒータの配線を収納することができるようになる。
【００２１】
請求項５の発明のショーケースは、上記発明において、ダンパーレール部材後端に対応する位置の背面ダクト内にシール材を設けたことを特徴とする。
【００２２】
請求項５の発明によれば、上記発明において、ダンパーレール部材後端に対応する位置の背面ダクト内にシール材を設けたので、ダンパーレール部材後端と断熱壁前面との間に形成される隙間を好適にシールすることができるようになる。これにより、ダンパー部材にて当該棚より上側の陳列室への冷気供給を停止した場合において、ダンパーレール部材と断熱壁との間から該背面ダクト内の冷気が漏出する不都合を未然に回避することができるようになる。
【００２３】
請求項６の発明のショーケースは、請求項３、請求項４又は請求項５の発明において、ダンパー部材が背面ダクトを閉じたことを検出するための開閉検出手段と、電気ヒータへの通電を制御する制御手段とを備え、該制御手段は、開閉検出手段の出力に基づき、ダンパー部材が背面ダクトを閉じた場合に、電気ヒータへの通電制御を行うことを特徴とする。
【００２４】
請求項６の発明によれば、請求項３、請求項４又は請求項５の発明において、ダンパー部材が背面ダクトを閉じたことを検出するための開閉検出手段と、電気ヒータへの通電を制御する制御手段とを備え、該制御手段は、開閉検出手段の出力に基づき、ダンパー部材が背面ダクトを閉じた場合に、電気ヒータへの通電制御を行うので、ダンパー部材により背面ダクトを閉じることで、当該ダンパー部材が設けられる棚より上側の陳列室内を電気ヒータにより加熱することができ、当該陳列室を温蔵使用することができるようになる。
【００２５】
請求項７の発明のショーケースは、上記発明において、制御手段は、ダンパー部材が背面ダクトを閉じた棚及び当該棚より上方に位置する棚の電気ヒータへの通電制御を行うことを特徴とする。
【００２６】
請求項７の発明によれば、上記発明において、制御手段は、ダンパー部材が背面ダクトを閉じた棚及び当該棚より上方に位置する棚の電気ヒータへの通電制御を行うので、当該ダンパー部材により背面ダクトを閉じることで、ダンパー部材が背面ダクトを閉じた棚及び該棚より上方への冷気供給を停止すると共に、これら棚を電気ヒータにより加熱することができ、ダンパー部材が背面ダクトを閉じた棚及び該棚より上方の陳列室内を温蔵使用することができるようになる。
【００２７】
請求項８の発明のショーケースは、上記発明において、最上段に位置する棚の電気ヒータは前後に配置された少なくとも二系統から構成され、制御手段は、少なくとも当該最上段に位置する棚より下の段に位置する棚の電気ヒータが通電されていると共に、陳列室内を冷却する冷却装置が運転されている場合に、後側の系統の電気ヒータの通電を禁止することを特徴とする。
【００２８】
請求項８の発明によれば、上記発明において、最上段に位置する棚の電気ヒータは前後に配置された少なくとも二系統から構成され、制御手段は、少なくとも当該最上段に位置する棚より下の段に位置する棚の電気ヒータが通電されていると共に、陳列室内を冷却する冷却装置が運転されている場合に、後側の系統の電気ヒータの通電を禁止するので、少なくとも前側の系統の電気ヒータにより棚の加熱を行うことができるようになり、通常、前側から提供される商品の商品価値を低減させる不都合を未然に回避することができるようになる。また、後側の系統の電気ヒータの通電を禁止することで、効果的に電力消費量の削減を図ることができるようになる。また、最上段の棚は、下方の棚の電気ヒータが通電されていることにより、係る電気ヒータによる輻射熱を得ることができ、補助的に最上段の棚の加熱を行うことができるようになる。
【００２９】
請求項９の発明のショーケースは、上記発明において、制御手段は、陳列室内を冷却する冷却装置のオフサイクル時には後側の系統の電気ヒータに通電することを特徴とする。
【００３０】
請求項９の発明によれば、上記発明において、制御手段は、陳列室内を冷却する冷却装置のオフサイクル時には後側の系統の電気ヒータに通電するため、冷却装置の冷却運転時に使用されている電力量を、当該冷却装置のオフサイクル時に、後側の系統の電気ヒータの通電に使用することにより、一度に消費される電力量を抑制しつつ、棚の後側の加熱をも行うことができるようになる。これにより、消費電力に応じて、棚の加熱を行うことができるようになり、より一層使用性の向上を図ることができるようになる。
【００３１】
請求項１０の発明のショーケースは、断熱壁内に陳列室を構成し、該陳列室内の両側後部に上下に渡る支柱を設け、各支柱に商品陳列用の棚を架設して成るものであって、棚は、棚板と、該棚板の両側を保持するブラケットとから構成され、該ブラケットは、各支柱に形成された取付孔に係脱自在に係合する係合爪を後端に有し、取付孔に進入して当該ブラケットの上下移動を規制する固定部材が着脱可能に取り付けられていることを特徴とする。
【００３２】
請求項１０の発明によれば、断熱壁内に陳列室を構成し、該陳列室内の両側後部に上下に渡る支柱を設け、各支柱に商品陳列用の棚を架設して成るショーケースにおいて、棚は、棚板と、該棚板の両側を保持するブラケットとから構成され、該ブラケットは、各支柱に形成された取付孔に係脱自在に係合する係合爪を後端に有し、取付孔に進入して当該ブラケットの上下移動を規制する固定部材が着脱可能に取り付けられているので、安定してブラケットを支柱に固定することができるようになる。また、固定部材は、着脱可能に取り付けられるため、容易にブラケットを支柱から外すことが可能となり、これにより、該ブラケットの上下位置の変更が容易となり、利便性が向上する。
【００３３】
請求項１１の発明のショーケースは、上記発明において、固定部材は、棚板上面より下方に位置していることを特徴とする。
【００３４】
請求項１１の発明によれば、上記発明において、固定部材は、棚板上面より下方に位置しているので、棚板取付時に、固定部材が露出する不都合を回避することができ、外観上も好適なものとなる。
【００３５】
請求項１２の発明のショーケースは、断熱壁内に陳列室を構成し、該陳列室内の両側後部に上下に渡る支柱を設け、各支柱に商品陳列用の棚を架設して成るものであって、支柱は、棚が架設される複数の取付孔が上下に形成されると共に、各取付孔は、棚に陳列される複数種類の商品の高さにそれぞれ対応した位置に形成されていることを特徴とする。
【００３６】
請求項１２の発明によれば、断熱壁内に陳列室を構成し、該陳列室内の両側後部に上下に渡る支柱を設け、各支柱に商品陳列用の棚を架設して成るショーケースにおいて、支柱は、棚が架設される複数の取付孔が上下に形成されると共に、各取付孔は、棚に陳列される複数種類の商品の高さにそれぞれ対応した位置に形成されているので、棚に陳列する商品の種類を変更する場合に、容易に棚の高さを変更することができ、使用性が著しく向上するものである。
【００３７】
請求項１３の発明のショーケースは、左右一対のブラケットにスライドレールを介して前後方向移動自在の棚を架設して成るものであって、棚には、当該棚とブラケット間に位置して弾性を有するロック部材が設けられ、該ロック部材は、前端の操作部と、該操作部の後方に形成されたフック部とを具備し、当該フック部が常時ブラケット方向に付勢されると共に、ブラケットには、棚が押し込まれた際にロック部材のフック部が係脱自在に係合する係合部を設けたことを特徴とする。
【００３８】
請求項１３の発明によれば、左右一対のブラケットにスライドレールを介して前後方向移動自在の棚を架設して成るショーケースにおいて、棚には、当該棚とブラケット間に位置して弾性を有するロック部材が設けられ、該ロック部材は、前端の操作部と、該操作部の後方に形成されたフック部とを具備し、当該フック部が常時ブラケット方向に付勢されると共に、ブラケットには、棚が押し込まれた際にロック部材のフック部が係脱自在に係合する係合部を設けたので、棚が押し込まれた際に、ロック部材のフック部を係合部に係合させることにより、安定して棚をブラケットに保持することができるようになる。また、ロック部材の操作部を棚方向に操作することにより、ロック部材のフック部と係合部の係合を解除することができ、容易に棚を前方向に移動させることができるようになる。
【００３９】
また、棚とブラケット間にロック部材を設けることにより、棚を前後方向に移動させる操作を容易に行うことができるようになると共に、外観の向上を図ることができるようになる。
【００４０】
請求項１４の発明のショーケースは、上記発明において、係合部は、外側からブラケットに形成された挿入口を通過して棚側に臨み、当該ブラケットに固定された係合部材により構成されることを特徴とする。
【００４１】
請求項１４の発明によれば、上記発明において、係合部は、外側からブラケットに形成された挿入口を通過して棚側に臨み、当該ブラケットに固定された係合部材により構成されているので、ブラケットの構造を簡素化することができると共に、係合部材を外側からブラケットの挿入口を通過させて、該ブラケットに固定することにより、確実に係合部をブラケットに形成することができるようになる。
【００４２】
請求項１５の発明のショーケースは、請求項１３又は請求項１４の発明において、ブラケットの外側及び棚下側を被覆するカバー部材を備えたことを特徴とする。
【００４３】
請求項１５の発明によれば、請求項１３又は請求項１４の発明において、ブラケットの外側及び棚下側を被覆するカバー部材を備えたので、ブラケット及び棚の左右への振れを有効に防止し、当該棚の歪みを防止若しくは最小限に抑えることができるようになる。これにより、棚の前後移動がより円滑となって使用性も向上するものである。
【００４４】
【発明の実施の形態】
以下、本発明の実施形態を図面に基づき詳細に説明する。図１は本発明を適用したショーケース１の斜視図、図２はショーケース１の一部拡大縦断側面図、図３は棚板３３を取り外した状態の陳列室１１内部分拡大斜視図、図４は可動棚の部分拡大透視平面図、図５は図４のＡ−Ａ断面図、図６は図３の部分拡大図、図７は可動棚の分解斜視図、図８は可動棚の部分拡大透視平面図、図９は図５のＢ−Ｂ断面図、図１０はロック部材５５の部分斜視図、図１１は陳列室１１背面の部分斜視図、図１２は可動棚２５の加温ヒータＨの配線図を示している。
【００４５】
ショーケース１は前面に開口する断面略コ字状の断熱壁３と、その両側に取り付けられた側板４によって本体５が構成されており、この断熱壁３の内側には間隔を存して背面及び天面にそれぞれ背面パネル６、天面パネル７が配設され、これら背面パネル６、天面パネル７と断熱壁３間にダクト９が構成されている。尚、背面パネル６の詳細については後述する。また、背面パネル６の下端には、前方に延在するデックパン１０が設けられており、これら背面パネル６、天面パネル７及びデックパン１０の内側に陳列室１１が構成されている。そして、デックパン１０の下方にはダクト９に連通してその一部を構成する下部ダクト１４が構成されている。
【００４６】
ダクト９の上端は陳列室１１の前面開口上縁に位置する上部冷気吐出口１６に連通し、下部ダクト１４の前端は陳列室１１の前面開口下縁に位置すると共に、複数のスリットから成る冷気吸込口１７に連通している。また、デックパン１０の下方の下部ダクト１４内には冷気送給用の図示しない送風機が配設され、陳列室１１のダクト９内には冷却装置の冷凍サイクルを構成する冷却器１５が縦設されている。尚、１９は上部冷気吐出口１６の前側に取り付けられた蛍光灯である。
【００４７】
断熱壁３の下側には図示しない機械室が構成されており、この機械室内には前記冷却器１５と共に冷却装置の冷凍サイクルを構成する圧縮機や凝縮器、凝縮器用送風機が設置されると共に、電源や制御基板を収納した電装箱も配設される。断熱壁３の背方には当該断熱壁３の背面と所定の間隔を存して鋼板製の背面板２０が取り付けられており、この背面板２０と断熱壁３間には排気用ダクト２１が構成されている。
【００４８】
この排気用ダクト２１の下端は前記機械室の後部に開口して連通すると共に、上端はショーケース１上方に開放している。尚、２３は機械室の前面を開閉自在に閉じるパネルである。２４は機械室内下部に設けられた蒸発皿であり、図示しないドレンホースを介して冷却器１５からのドレン水（露水や除霜水など）が流入し、貯留されるものである。
【００４９】
陳列室１１内には前後方向に引き出し移動自在の可動棚が複数段、本実施例では上から順に、２５、２６、２７、２８が四段架設されている。各可動棚２５、２６、２７、２８の商品載置面の裏側には加温用ヒータＨ（電気ヒータ。図１２参照）がそれぞれ取り付けられている。
【００５０】
各可動棚２５、２６、２７、２８は、後端に後方に突出する鉤状の爪２９、２９（本実施例では、上下に２つ）を有し、断面略クランク状に形成された左右一対のブラケット３０、３０と、このブラケット３０の内面３０Ａにその固定側３１Ａがネジ３２により固定されたスライドレール３１と、このスライドレール３１の可動側３１Ｂがその側壁３３Ａにネジ３５により固定されてブラケット３０、３０に前後移動自在に支持された棚板３３と、棚支柱３６などから構成されている。尚、棚板３３は、ブラケット３０に可動側のスライドレール３１Ｂを介して取り付けられることから、ブラケット３０の下面と棚板３３の下面とは、間隔を存している。
【００５１】
棚支柱３６は、陳列室１１内の背面パネル６の前面両側に取り付けられ、上下に複数の取付孔３７・・・が穿設されている。そして、棚支柱３６、３６間に渡って前記可動棚２５、２６、２７、２８が架設される。ブラケット３０、３０は前記爪２９・・を棚支柱３６の取付孔３７・・に挿入係合させることより、着脱自在に棚支柱３６に保持される。
【００５２】
また、本実施例において、ブラケット３０の陳列室１１側の面には、当該ブラケット３０の上下移動を規制するための固定部材３９が取り付けられる。この固定部材３９は、金属板の折曲或いは硬質合成樹脂の一体成型にて構成されており、図６に示す如く本体４０と、この本体４０の上端及び下端から陳列室１１側に突出する把手辺４１、４１と、本体４０の後端から少許ブラケット３０側に折曲された後、後方に突出する係合爪４２と、本体４０の前端からブラケット３０側に少許、例えば約５ｍｍ程度、突出した挿入辺４３を一体に有している。また、本体には、前後に延在した長孔４４が形成されている。尚、係合爪４２の上下寸法は、当該係合爪４２の挿入挿脱を容易とするため、棚支柱３６に形成された取付孔３７の上下寸法よりも少許小さいものとする。
【００５３】
ここで、図６の固定部材３８は向かって左側の棚支柱３６に取り付けられるものであり、右側の棚支柱３６に取り付けられるものは図６のものと左右対称形状を呈しているものとする。また、挿入辺４３はブラケット３０に予め形成された挿入孔４５に挿入挿脱自在の形状を呈している。この挿入孔４５の後方には、固定部材３８の長孔４４と合致し、化粧ビス４６により固定可能とするための係合孔４７が形成されている。
【００５４】
係る構成により、ブラケット３０、３０の前記爪２９・・を棚支柱３６の取付孔３７・・に保持した状態で、固定部材３８の把手辺４１を持ち、該固定部材３８の係合爪４２をブラケット３０の爪２９が係合された取付孔３７、３７の間に位置する取付孔３７内に挿入する。そして、該固定部材３８の挿入辺４３をブラケット３０の挿入孔４５内に挿入し、固定部材３８の長孔４４とブラケット３０の係合孔４７を合致させ、化粧ビス４６により、固定する。
【００５５】
これにより、確実にブラケット３０の上下移動を規制することができるようになる。尚、後述する如く可動棚２５、２６、２７、２８の高さを移動する場合には、先ず、固定部材３８とブラケット３０を固定する化粧ビス４６を緩め、固定部材３８の挿入辺４３をブラケット３０の挿入孔４５から挿脱し、固定部材３８が化粧ビス４６によりブラケット３０に取り付けられている状態で、長孔４４を介して該固定部材３８を前方に移動させ、係合爪４２を棚支柱３６の取付孔３７から抜脱する。これにより、ブラケット３０の上下移動の規制を解除することができる。
【００５６】
そして、変更後の高さの位置に対応する棚支柱３６の取付孔３７にブラケット３０の爪２９を係合させた後、化粧ビス４６によりブラケット３０に取り付けられている状態の固定部材３８を、長孔４４を介して後方に移動させ、係合爪４２を棚支柱３６の取付孔３７に挿入し、固定部材３８の挿入辺４３をブラケット３０の挿入孔４５から挿入する。そして、前記化粧ビス４６を締めることにより容易にブラケット３０の上下移動を規制することができる。尚、この固定部材３８は、上方から棚板３３を載置させることにより、当該棚板３３により隠蔽されることとなり、該固定部材３８が露出する不都合を回避することができ、外観上も好適なものとなる。
【００５７】
一方、棚板３３の側端には、図５及び図７に示す如くブラケット３０側及び下方に開口した断面略Ｌ字状のスライドレールカバー部材５３が該棚板３３の側端と前記スライドレールの可動側３１Ｂとの間に介設され、該カバー部材５３もスライドレールの可動側３１Ｂと共にネジ３５により共締めとされる。このカバー部材５３は、前端がブラケット３０側に突出すると共に、上端から下方に向けて切り欠かれた保持部５４が形成されている。
【００５８】
他方、ブラケット３０及び棚板３３に固定されるスライドレール３１は、該ブラケット３０及び棚板３３の前端から所定間隔を存して取り付けられており、このスライドレール３３の前方に位置する棚板３３の前部には、ロック部材５５が取り付けられる。
【００５９】
このロック部材５５は、常時ブラケット３０側に付勢される付勢部材としての板バネ（弾性を有する弾性体）により構成されており、後部に形成された取付孔５７を介してネジ５８により、カバー部材５３と共に棚板３３に固定される。そして、このロック部材５５の前端には、操作部５６が形成されると共に、この操作部５６と取付孔５７との間に位置して、フック部５８が形成される。このフック部５８は、図７に示す如くロック部材５５の後部から前方に向けてブラケット３０側に傾斜した後、下端が前方から切り欠かれることにより形成される。
【００６０】
尚、操作部５６は、該ロック部材５５が棚板３３に取り付けられた状態で、図１０に示す如く前記保持部５４内に保持されているものとする。また、該操作部５６は、保持部５４の前端の外側となるように設けられていると共に、棚板３３側に折曲して形成されている。
【００６１】
他方、ブラケット３０には、係合部材６０が設けられる。この係合部材６０は、金属板の折曲或いは硬質合成樹脂の一体成型にて構成されており、図７に示す如く本体６２と、この本体６２の後端から少許ブラケット３０側に折曲された係合爪６３と、本体６２の前部上端がブラケット３０側に略直角に折曲され、後方に向けて鉤状を呈する係合部６１とを一体に有している。この係合部６１は、また、本体６２には、係合孔６４が形成される。
【００６２】
そして、ブラケット３０には、前記ロック部材５５が設けられる位置に対応して、矩形状の挿入口５９が形成され、該挿入口５９には、ブラケット３０の外方から係合部材６０の係合部６１が挿入される。そして、ブラケット３０には予め前記係合孔６４と合致するための係合孔６５が形成されているため、係合部材６０は、ブラケット３０の外方からネジ６６によりブラケット３０に固定される。
【００６３】
これにより、可動棚２５、２６、２７及び２８の棚板３３が陳列室１１内に押し込まれている状態では、図８及び図９に示す如くロック部材５５のフック部５８は、ブラケット３０に設けられた係合部材６０の係合部６１に係合している。このとき、ロック部材５５を形成する板バネはブラケット３０の係合部６１に当接して突っ張っており、ロック部材５５のフック部５８は板バネにより常時係合部６１に係合するように付勢されている。
【００６４】
これによって、可動棚２５、２６、２７及び２８は安定的に保持され、顧客が商品を取り出す際などに、不用意に棚板３３が手前側に移動してしまうことも防止される。
【００６５】
次に、棚板３３を陳列室１１内から手前に引き出す場合には、ロック部材５５の操作部５６を内側（図８及び図９では左方向）に押し、ロック部材５５を構成する板バネの付勢力に抗してロック部材５５のフック部５８と係合部６１との係合を解除する。この状態で、棚板３３は自由となり図４に示す如く手前側に移動可能となる。
【００６６】
その後、再び棚板３３を陳列室１１内に戻すために押し込んでいくと、やがてロック部材５５のフック部５８の後面が係合部材６０の係合部６１に当接する。このとき、ロック部材５５は、係合部６１に当接すると、板バネに付勢されて棚板３３側に押される。従って、更に、棚板３３を押し込むことにより、フック部５８は係合部６１に到達し、これらが係合し、以後、前述の如くロック部材５５の板バネの付勢力で安定的に保持される。
【００６７】
また、可動棚２５、２６、２７又は２８の前後の移動を規制するロック部材５５は、上述した如く棚板３３とブラケット３０との間に設けられるため、棚板３３を前後方向に移動させる操作を容易に行うことができるようになる。また、前方からは視認し難い棚側方に設けることにより、外観の向上を図ることができるようになる。
【００６８】
更に、ロック部材５５と係脱自在に係合する係合部６１は、上述した如く外側からブラケット３０に形成された挿入口５９を通過して棚板３３側に臨み、該ブラケット３０にネジ６６にて固定された係合部材６０により構成されているので、ブラケット３０自体の構造を簡素化することができるようになる。また、係合部材６０を外側からブラケット３０の挿入口５９を通過させて、ブラケット３０に固定することにより、確実に係合部６１をブラケット３０に形成することができるようになる。
【００６９】
また、ロック部材５５、係合部材６０の係止部６１及び該係合部材６０をブラケット３０に固定するネジ５９は、全て棚板３３を前後に移動させるためのスライドレール３１が形成された空間に設けることができるため、ショーケース１のスリム化及び陳列室１１内の有効空間の拡張を図ることができるようになる。
【００７０】
尚、前記ブラケット３０の外側及び棚板３３の下面は、少なくとも上面に開口した例えば鋼板製のカバー部材５０により被覆される。このカバー部材５０は、ブラケット３０の下面に予め形成された係合孔５２と該カバー部材５０に形成された係合孔６７を合致させ、ネジ５１により螺合させることにより取り付けられる。これにより、ブラケット３０及び棚板３３の左右への振れを有効に防止し、該可動棚の歪みを防止若しくは、最小限に抑えることができるようになるものである。そのため、可動棚の前後移動がより円滑となって使用性も向上するものである。
【００７１】
一方、本実施例では、最上段を構成する可動棚２５と上から２段目を構成する可動棚２６を構成するカバー部材５０は、前面及び後面に開口を有すると共に、棚板３３の下面に所定の間隔を存して位置するため、それらの間に棚ダクト５３が形成される。棚板３３前端とカバー部材５０の前端間には棚ダクト５３の前端にて開口する棚下冷気吐出口７０が形成されているが、棚板３３前端とカバー部材５０前端は図２に示す如く下方に屈曲されている関係上、棚下冷気吐出口７０は少許斜め前方下方に指向している。
【００７２】
また、カバー部材５０の後端は、下方に少許所定角度で折曲されたフランジ部５０Ａが形成されていると共に、このフランジ部５０Ａには、本実施例では、左右に二カ所下端から上方に向けて切り欠かれた係止部５０Ｂが形成されている。また、棚ダクト５３の後端は詳細は後述する如く背面パネル６を構成する複数の背面パネル部材９２、９４又は９５、９７により形成される連通部１０１、１０２にて背面ダクト９と連通している。
【００７３】
そして、カバー部材５０の上面にはダンパー部材７１が取り付けられている。このダンパー部材７１は図２及び図３に示す如くカバー部材５０の中央部から下側に臨む操作部７２と、この操作部７２から左右に広がり、カバー部材５０の下面に近接するように立ち上がる起立壁部７３と、この起立壁部７３に穿設された複数の通気部（丸孔）７４と、起立壁部７３の上端から後方に延在する閉塞板部７６と、閉塞板部７６の後端に左右に渡って設けられるシール部材８０とから構成される。
【００７４】
そして、このダンパー部材７１は、カバー部材５０の両側部に設けられた断面略クランク状のダンパーレール部材７７により前後摺動自在に保持されている。このダンパー部材７１はカバー部材５０に下方から螺合する化粧ビス７９を緩めることにより、移動自在となり、締め込むことによりその位置で移動不能となる。また、本実施例では、該ダンパー部材７１の後端を構成する閉塞板部７６の後端には、当該ダンパー部材７１が背面ダクト９を閉じたことを検出するためのダンパーセンサ（開閉検出手段）９０が設けられており、図示しない制御装置に接続されているものとする。
【００７５】
ここで、図３に示す如くダンパーレール部材７７内には、上述した如く可動棚２５、２６の商品載置面を加温するための加温用ヒータＨの配線８１を収納していると共に、該ダンパーレール部材７７の上面後端には、配線８１を内部に引き込むための配線収納口８２が形成されている。これにより、加温用ヒータＨの配線８１を、安全で、然も、外観上好適に収納することができるようになる。
【００７６】
また、このダンパーレール部材７７の後方には、該ダンパーレール部材７７の後端と背面ダクト９を構成する断熱壁３の前面との間に形成される隙間を閉塞するためのシール部材８３が取り付けられている。このシール部材８３は、弾力性のある材料により構成されており、ダンパーレール部材７７に押圧されることにより変形し、該ダンパーレール部材７７と断熱壁３前面との間を密閉すると共に、ダンパーレール部材７７を除去することにより、該シール部材８３は、元の状態に戻るものであるものとする。また、このシール部材８３は、可動棚２５及び２６が所定の範囲で上下に移動可能に構成されていることから、該可動棚２５及び２６に設けられるダンパーレール部材７７の移動可能高さの範囲に渡って上下に延在して設けられているものとする。
【００７７】
尚、本実施例では、図３に示す如く棚支柱３６は、陳列室１１側に開口した断面略コ字状を呈しており、この棚支柱３６内には、該可動棚の上下の可動棚に設けられた加温用ヒータＨの配線を収容する配線収容部８５が形成されていると共に、この配線収容部８５には、該棚支柱３６内部を密閉するためのシール部材８４が設けられている。尚、図３において８７は、断面略Ｌ字状に形成された鋼板製部材であり、前記棚板３３の後端を保持すると共に、後述する各背面パネル部材９４、９７と連結するための連結部材である。この連結部材８７には、各背面パネル９７、９７と化粧ビス８８にて螺着するための取付孔８９、８９が形成されている。
【００７８】
次に、図２及び図１２を参照して、本発明の背面パネル６について説明する。本発明の背面パネル６は、複数の背面パネル部材９１、９２、９４、９５、９７と、前記天面パネル７の後端が下方に折曲された背面部７Ａとから構成される。背面パネル部材９１は、背面パネル６の下部、本実施例では、最下段の可動棚２８の背面及び、下から二段目を構成する可動棚２７の背面の一部を構成しており、前記断熱壁３の前面と所定間隔を存して、本体５に固定されている。また、この背面パネル部材９１の上部には、左右に図示しない係合孔が形成されている。
【００７９】
背面パネル部材９２は、下から二段目を構成する可動棚２７の背面上部を構成する板状部材であり、この背面パネル部材９２の左右には、上下に渡って複数の係合孔１００が形成されている。この背面パネル部材９２は、背面パネル部材９１と相互に重複して、背面パネル部材９２の何れかの係合孔１００と背面パネル部材９１の前記係合孔を合致させ、化粧ビス９８により、背面パネル部材９２を背面パネル部材９１に着脱自在に固定する。これにより、背面パネル部材９１及び９２の重複量を変化させることにより、下から二段目の可動棚２７の背面の高さを調整可能とすることができる。
【００８０】
また、この背面パネル部材９２の上端には、前方に屈曲したフランジ部９２Ａが形成されており、このフランジ部９２Ａには、左右に所謂カラー付きのネジ９９が取り付けられている。このネジ９９は、本実施例では、下から三段目、即ち、上から二段目を構成する可動棚２６のカバー部材５０に形成された係止部５０Ｂを上方から係脱自在に支持するものである。
【００８１】
また、背面パネル部材９４は、可動棚２６の背面下部を構成しており、当該背面パネル部材９４の下端に左右に渡ってフランジ部９４Ａが形成される。このフランジ部９４Ａには、左右に図示しない係合孔が形成され、可動棚２６の後端に設けられた連結部材８７の取付孔８９と合致して化粧ビス８８により固定される。また、この背面パネル部材９４の上部には、左右に図示しない係合孔が形成されている。
【００８２】
背面パネル部材９５は、可動棚２６の背面上部を構成する板状部材であり、前記背面パネル部材９２と同様に構成されている。即ち、この背面パネル部材９５の左右には、上下に渡って複数の係合孔１０３が形成されている。この背面パネル部材９５は、背面パネル部材９４と相互に重複して、背面パネル部材９５の何れかの係合孔１０３と背面パネル部材９４の前記係合孔を合致させ、化粧ビス９８により、背面パネル部材９５を背面パネル部材９４に着脱自在に固定する。これにより、背面パネル部材９４及び９５の重複量を変化させることにより、可動棚２６の背面の高さを調整可能とすることができる。
【００８３】
また、この背面パネル部材９５の上端には、前方に屈曲したフランジ部９５Ａが形成されており、このフランジ部９５Ａには、同様に左右に所謂カラー付きのネジ９９が取り付けられている。このネジ９９は、本実施例では、最上段を構成する可動棚２５のカバー部材５０に形成された係止部５０Ｂを上方から係脱自在に支持するものである。
【００８４】
また、背面パネル部材９７は、可動棚２５の背面下部を構成しており、当該背面パネル部材９７の下端に左右に渡ってフランジ部９７Ａが形成される。このフランジ部９７Ａには、左右に図示しない係合孔が形成され、可動棚２５の後端に設けられた連結部材８７の取付孔８９と合致して化粧ビス８８により着脱自在に固定される。また、この背面パネル部材９７の左右には、上下に渡って複数の係合孔１０４が形成されている。
【００８５】
可動棚２５の背面上部を構成する天面板７の背面部７Ａは、前記断熱壁３の前面と所定間隔を存して、本体５に固定されていると共に、背面部７Ａ下部には、左右に図示しない係合孔が形成されている。
【００８６】
これにより、背面パネル部材９７の何れかの係合孔１０４と天面板７の背面部７Ａの前記係合孔を合致させ、化粧ビス９８により、背面パネル部材９７を背面部７Ａに着脱自在に固定する。これにより、背面パネル部材９７及び背面部７Ａの重複量を変化させることにより、可動棚２５の背面の高さを調整可能とすることができる。
【００８７】
以上の構成により、最上段の可動棚２５の上下位置を変更する際には、先ず、棚板３３を前方に引き出し、背面パネル部材９７と可動棚２５の連結部材８７とを連結している化粧ビス８８を外す。その後、背面パネル部材９７と天面板７の背面部７Ａとを連結している化粧ビス９８を外し、背面パネル部材９７を取り外す。次いで、背面パネル部材９５と背面パネル部材９４を連結している化粧ビス９８を外し、背面パネル部材９５を下方に引くことにより、フランジ部９５Ａのネジ９９と可動棚２５のカバー部材５０に形成された係止部５０Ｂとの結合を解除する。これにより、背面パネル部材９５を取り外す。
【００８８】
ここで、詳細は上述した如く可動棚２５のブラケット３０に取り付けられた固定部材３９の係合爪４２を棚支柱３６の取付孔３７から引き出し、次いで、可動棚２５を少許上方に持ち上げ手前に引き出すことにより、ブラケット３０の爪２９を棚支柱３６の取付孔３７から引き出し、可動棚２５を外す。
【００８９】
当該可動棚２５を変更する高さにまで移動させ、棚支柱３６の取付孔３７に爪２９を差し込んだ後、固定部材３９により棚２５を棚支柱３６に固定する。その後、背面パネル部材９５の上端に固定されたネジ９９を可動棚２５の係止部５０Ｂに差し込み、該背面パネル部材９５と背面パネル部材９４を重複させ、これらに形成された係合孔１０３等を重合させ、化粧ビス９８により固定する。ここで、棚支柱３６には、予め、可動棚２５の上下移動範囲に渡って複数の取付孔３７が形成されており、背面パネル部材９５に形成された係合孔１０３は、該可動棚２５の上下移動範囲に対応して複数形成されている。そのため、容易に背面パネル部材９５と９４の係合孔を合致させることができる。
【００９０】
次に、可動棚２５の棚板３３を前方へ引き出し、背面パネル部材９７を可動棚２５の連結部材８７に化粧ビス８８により固定する。その後、背面パネル部材９７と天面板７の背面部７Ａとを化粧ビス９８により固定する。ここで、背面パネル部材９７には、上記背面パネル部材９５と同様に、可動棚２５の上下移動範囲に対応して係合孔１０４が複数形成されていることから、容易に背面パネル部材９７と天面板７の背面部７Ａの係合孔を合致させることができる。
【００９１】
これにより、背面パネル６を複数の背面パネル部材により構成することにより、容易に可動棚２５の棚ダクト５３と連通する連通部１０２を上下に移動して変更することができる。そのため、可動棚２５の高さを可変とすると共に、該可動棚２５の前端に形成された棚下冷気吐出口７０より背面ダクト９を上昇する冷気を棚ダクト５３を介して吐出することができるショーケース１を提供することができるようになる。これにより、可動棚２５に載置される商品の種類に応じて該棚の高さを変更することができ、ショーケース１の使用性の向上を図ることができるようになる。
【００９２】
尚、該可動棚２５に設けられるダンパーレール７７の後方には、当該可動棚２５の移動可能高さの範囲に渡って、シール部材８３が設けられていることから、可動棚２５の高さが変更された場合であっても、ダンパーレール部材７７後端と背面ダクト９前面と断熱壁３との間に形成される隙間を好適にシールすることができるようになる。これにより、ダンパー部材７１にて可動棚２５より上側の陳列室への冷気供給を停止した場合において、ダンパーレール部材７７と断熱壁３との間から背面ダクト９内の冷気が漏出する不都合を未然に回避することができるようになる。
【００９３】
また、背面ダクト９が上方に行くに従って狭くなるように構成され、これに伴い、陳列室１１内に架設される可動棚２５が上方に行くに従って後方に設けられる場合であっても、かかるシール部材８３は、弾性のある材料にて構成されていることから、如何なる背面ダクト９の奥行き寸法であっても好適にダンパーレール部材７７と断熱壁３との間をシールすることができるようになる。
【００９４】
尚、可動棚２６についても上記可動棚２５と同様に棚の高さを変更することができると共に、容易に可動棚２６の棚ダクト５３と連通する連通部１０１を上下に移動して変更することができる。これにより、より一層ショーケース１の使用性が向上する。
【００９５】
また、本実施例では、複数の背面パネル部材を係脱自在に組み合わせることにより、可動棚２５又は２６と連通する連通部１０２、１０１の上下高さを変更可能とされているが、これ以外の方法、例えば、背面パネル６に可動棚２５又は２６を移動する範囲に開口を形成し、可動棚２５又は２６に一体に背面パネル部材を構成し、該背面パネル部材により棚ダクト５３以外の部分に該当する前記開口を閉鎖することで、可動棚２５又は２６と連通する連通部１０２、１０１の上下高さを変更可能としてもよいものとする。
【００９６】
また、本実施例におけるショーケース１は、設置床面から陳列室１１の最下段の可動棚２８までの高さは３８５ｍｍ、可動棚２８から下から二段目の可動棚２７までの高さは２３０ｍｍ、可動棚２７から上から二段目の可動棚２６までの高さは２１６ｍｍ、可動棚２６から最上段の可動棚２５までの高さは１８６ｍｍ、可動棚２５から冷気吐出口１６までの高さは１８２ｍｍに設定されている。更に、この状態から、上方に可動棚２７は最大９０ｍｍの範囲、可動棚２６は最大１０５ｍｍ、可動棚２５は最大６０ｍｍの範囲で上下の高さを移動することができるものとする。本実施例では各高さ及び範囲は、上述の如く設定しているが、これ以外であってもよいものとする。
【００９７】
更に、これら可動棚２５、２６、２７、２８を架設する上記棚支柱３６には、各棚に陳列される複数種類の商品、例えば、１９０ｍｌ缶、３５０ｍｌペットボトル、５００ｍｌペットボトル、２Ｌペットボトルの高さ及び載置される棚の組み合わせに応じて、取付孔３７が複数形成されているものとする。
【００９８】
これにより、各棚２５、２６、２７、２８に陳列する商品の種類を変更する場合に、容易にこれら棚の高さを変更することができ、使用性が著しく向上するものとなる。
【００９９】
また、棚支柱３６の取付孔３７近傍には、番号若しくは、マークなどの目印を形成し、陳列する商品の種類や、陳列される棚の組み合わせに応じて予めパターン表を形成してもよい。これにより、容易に陳列する商品に対応した高さに可動棚２５乃至２７を移動することができ、より一層利便性が向上する。
【０１００】
尚、本実施例のショーケース１は、詳細は上述した如く最上段を構成する可動棚２５及び上から二段目を構成する可動棚２６は、棚ダクト５３を有していると共に、ダンパー部材７１を備えていることにより、当該ダンパー部材７１を操作し、操作された可動棚の高さで背面ダクト９を閉鎖することが可能となる。
【０１０１】
そのため、可動棚２５のダンパー部材７１のみを操作し、係る高さで、背面ダクト９を閉鎖した場合には、背面ダクト９内を上昇する冷気の一部は、背面パネル部材９２に形成された係合孔１００から吐出され、残りの一部は、背面パネル部材９２と９４との間に形成された連通部１０１から可動棚２６の棚ダクト５３内に侵入し、棚下冷気吐出口７０から陳列室１１内下部に向けて吐出される。また、残りの冷気は、背面ダクト９を更に上昇し、背面パネル部材９５とダンパー部材７１とにより形成された連通部１０２から可動棚２５の棚ダクト５３内に侵入し、棚下冷気吐出口７０から陳列室１１内下部に向けて吐出される。
【０１０２】
これにより、可動棚２５より下方の陳列室１１内は、冷気供給により冷蔵使用することができる。尚、本実施例では、上述した如くダンパー部材７１の後端には、ダンパーセンサ９０が設けられているため、当該ダンパー部材７１が閉鎖されていることを検出すると、前記制御装置は、可動棚２５の加温用ヒータＨを通電するものとする。これにより、可動棚２５より上方の陳列室１１内は、冷気供給の停止、及びヒータＨの通電により温蔵使用することができるようになる。
【０１０３】
また、可動棚２６のダンパー部材７１を操作し、係る高さで、背面ダクト９を閉鎖した場合には、背面ダクト９内を上昇する冷気の一部は、背面パネル部材９２に形成された係合孔１００から吐出され、残りの冷気は、背面パネル部材９２と９４との間に形成された連通部１０１から可動棚２６の棚ダクト５３内に侵入し、棚下冷気吐出口７０から陳列室１１内下部に向けて吐出される。
【０１０４】
これにより、可動棚２６より下方の陳列室１１内は、冷気供給により冷蔵使用することができる。また、かかる場合においても、ダンパー部材７１の後端には、ダンパーセンサ９０が設けられているため、当該ダンパー部材７１が閉鎖されていることを検出すると、前記制御装置は、該可動棚２６より上方の可動棚、即ち、可動棚２５及び２６の加温用ヒータＨを通電するものとする。これにより、可動棚２６より上方の陳列室１１内は、冷気供給の停止及びヒータＨの通電により温蔵使用することができるようになる。尚、かかる場合において、可動棚２６より上方の陳列室１１内の空気の対流を効果的に行うため、可動棚２５のダンパー部材７１は、閉鎖されていることが望ましい。
【０１０５】
尚、上記各可動棚２５及び２６のダンパー部材７１が開放されている場合には、従来のショーケース１と同様に、全ての陳列室１１内に冷気の供給を行うと共に、ヒータＨの通電を禁止することにより、冷蔵使用することができる。また、ショーケース１の冷却装置の運転を停止して、各可動棚２５、２６、２７及び２８の加温用ヒータＨを通電することにより、全ての陳列室１１内を温蔵使用することができる。
【０１０６】
これにより、陳列室１１内を陳列する商品に応じて種々の温度に設定することができるようになり、該商品の陳列の組み合わせに応じて、ショーケース１の使用性と汎用性が著しく向上するものである。
【０１０７】
また、本実施例では、例えば最上段を構成する可動棚２５の加温用ヒータＨを図１２に示す如く前後に配置された二系統のヒータＨ１とＨ２とから構成し、当該ヒータＨ１とＨ２を別々に通電制御してもよいものとする。即ち、ショーケース１全体としての消費電力が大きい場合、例えば、下二段を冷蔵使用し、上二段を温蔵使用する場合には、可動棚２５の前側に配置されたヒータＨ１のみを通電し、後側に配置されたヒータＨ２の通電を禁止するものとする。
【０１０８】
これにより、可動棚２５の前部のみが加温されると共に、ショーケース１全体の消費電力量の削減を実行することができるようになる。尚、通常、可動棚２５に陳列された商品は、前側から取り出されるため、後側に陳列された商品は、前側の商品が取り出された際に、前に出されることにより、可動棚２５の前側を加温する加温用ヒータＨ１により加温される。また、最上段の可動棚２５の後側のヒータＨ２を通電禁止とした場合であっても、該可動棚２５は、下方の可動棚が加温されている場合には、当該熱の一部が上昇してくるため、当該可動棚２５を補助的に加熱することができる。これにより、商品の販売にあまり影響を与えることなく、ショーケース１全体の消費電力量の削減を行うことができる。
【０１０９】
特に、ショーケース１で使用する定格電流は、陳列室１１内を冷蔵使用する場合と温蔵使用する場合と、これらを組み合わせて使用する場合を通して、実施例の場合１３Ａ以下に抑えられた。これにより、通常の１２５Ｖ、定格１５Ａの電源プラグ一本で済むことになり、使い勝手が極めて良好となると共に、省エネルギーにも寄与できるものとなった。
【０１１０】
尚、前記制御装置は、上記において、冷却装置のオフサイクル運転が実行されている場合には、前記加温用ヒータＨ２を通電するものとする。これにより、ショーケース１全体としての消費電力量に影響を与えることなく、可動棚２５の後側の商品の加温を補助することができるようになる。
【０１１１】
また、本実施例では、最上段の可動棚２５のみを前後二系統の加温用ヒータにより構成しているが、他の可動棚に設けられる加温用ヒータＨも同様に構成し、上述の如く制御してもよいものとする。
【０１１２】
尚、実施例では上述した如きオープンショーケースに本発明を適用したが、それに限らず、透明ガラスで陳列室が囲繞された卓上ショーケースなどでもよい。また、実施例では棚ダクト５３及びダンパー部材７１を備えた可動棚を上二段に設けたが、それに限らず、一段若しくは、更に複数段形成してもよい。また、実施例では、棚ダクト５３及びダンパー部材７１を備えていない可動棚を下二段に設けたが、それに限らず、一段若しくは、更に複数段形成してもよいものとする
【０１１３】
【発明の効果】
以上詳述した如く請求項１の発明によれば、断熱壁内に陳列室を構成し、該陳列室内に商品陳列用の棚を上下に複数段、架設して成るショーケースにおいて、陳列室の背面に位置し、断熱壁との間に冷気が上昇する背面ダクトを構成するための背面パネルと、棚に構成され、後端の連通部にて背面ダクトに連通すると共に、前端に冷気吐出口が構成された棚ダクトと、棚を加熱する電気ヒータとを備え、棚は、支柱に対して上下位置変更可能に架設されると共に、背面パネルは、当該棚の位置変更に合わせて連通部の上下位置を変更可能とされるので、棚の高さが変更された場合であっても、当該棚に形成された棚ダクトと連通部を連通させることができるようになる。
【０１１４】
これにより、棚の高さを可変とすると共に、係る高さ可変の棚の前端に形成された冷気吐出口より背面ダクトを上昇する冷気を棚ダクトを介して吐出可能とするショーケースを提供することができるようになる。そのため、当該ショーケースの使用性の向上を図ることができるようになる。
【０１１５】
また、陳列室への冷気供給を停止し、ヒータにより当該棚を加熱することにより、陳列室内を温蔵使用することができると共に、ヒータの発熱を停止し、陳列室内へ冷気を供給することで該陳列室内を冷蔵使用することができる。
【０１１６】
これにより、陳列室内を種々の商品の陳列に適した温度に設定することができるようになり、使用性と汎用性が著しく向上するものである。
【０１１７】
請求項２の発明によれば、上記において、背面パネルは、上下に連結されて相互に重複する複数のパネル部材から構成され、相互の重複量が変更可能とされているので、高さ可変とされる棚の高さに応じて、パネル部材の重複量を変更することにより、容易に、当該棚ダクトと連通する連通部の上下位置を変更可能とすることができるようになる。
【０１１８】
請求項３の発明によれば、上記各発明において、棚を加熱する電気ヒータと、連通部の上側において背面ダクト内を開閉するダンパー部材とを備えるので、ダンパー部材にて当該棚より上側の陳列室への冷気供給を停止し、ヒータにより当該棚を加熱することにより、当該棚より上側の陳列室内を温蔵使用することができると共に、ヒータの発熱を停止し、ダンパー部材にて当該棚より上側の陳列室内へ冷気を供給することで該陳列室内を冷蔵使用することができる。
【０１１９】
これにより、陳列室内を種々の商品の陳列に適した温度に設定することができるようになり、使用性と汎用性が著しく向上するものである。
【０１２０】
請求項４の発明によれば、上記発明において、棚は、ダンパー部材を摺動自在に保持するダンパーレール部材を備え、該ダンパーレール部材内に電気ヒータの配線を収納したので、安全で、然も、外観上好適に電気ヒータの配線を収納することができるようになる。
【０１２１】
請求項５の発明によれば、上記発明において、ダンパーレール部材後端に対応する位置の背面ダクト内にシール材を設けたので、ダンパーレール部材後端と断熱壁前面との間に形成される隙間を好適にシールすることができるようになる。これにより、ダンパー部材にて当該棚より上側の陳列室への冷気供給を停止した場合において、ダンパーレール部材と断熱壁との間から該背面ダクト内の冷気が漏出する不都合を未然に回避することができるようになる。
【０１２２】
請求項６の発明によれば、請求項３、請求項４又は請求項５の発明において、ダンパー部材が背面ダクトを閉じたことを検出するための開閉検出手段と、電気ヒータへの通電を制御する制御手段とを備え、該制御手段は、開閉検出手段の出力に基づき、ダンパー部材が背面ダクトを閉じた場合に、電気ヒータへの通電制御を行うので、ダンパー部材により背面ダクトを閉じることで、当該ダンパー部材が設けられる棚より上側の陳列室内を電気ヒータにより加熱することができ、当該陳列室を温蔵使用することができるようになる。
【０１２３】
請求項７の発明によれば、上記発明において、制御手段は、ダンパー部材が背面ダクトを閉じた棚及び当該棚より上方に位置する棚の電気ヒータへの通電制御を行うので、当該ダンパー部材により背面ダクトを閉じることで、ダンパー部材が背面ダクトを閉じた棚及び該棚より上方への冷気供給を停止すると共に、これら棚を電気ヒータにより加熱することができ、ダンパー部材が背面ダクトを閉じた棚及び該棚より上方の陳列室内を温蔵使用することができるようになる。
【０１２４】
請求項８の発明によれば、上記発明において、最上段に位置する棚の電気ヒータは前後に配置された少なくとも二系統から構成され、制御手段は、少なくとも当該最上段に位置する棚より下の段に位置する棚の電気ヒータが通電されていると共に、陳列室内を冷却する冷却装置が運転されている場合に、後側の系統の電気ヒータの通電を禁止するので、少なくとも前側の系統の電気ヒータにより棚の加熱を行うことができるようになり、通常、前側から提供される商品の商品価値を低減させる不都合を未然に回避することができるようになる。また、後側の系統の電気ヒータの通電を禁止することで、効果的に電力消費量の削減を図ることができるようになる。また、最上段の棚は、下方の棚の電気ヒータが通電されていることにより、係る電気ヒータによる輻射熱を得ることができ、補助的に最上段の棚の加熱を行うことができるようになる。
【０１２５】
請求項９の発明によれば、上記発明において、制御手段は、陳列室内を冷却する冷却装置のオフサイクル時には後側の系統の電気ヒータに通電するため、冷却装置の冷却運転時に使用されている電力量を、当該冷却装置のオフサイクル時に、後側の系統の電気ヒータの通電に使用することにより、一度に消費される電力量を抑制しつつ、棚の後側の加熱をも行うことができるようになる。これにより、消費電力に応じて、棚の加熱を行うことができるようになり、より一層使用性の向上を図ることができるようになる。
【０１２６】
請求項１０の発明によれば、断熱壁内に陳列室を構成し、該陳列室内の両側後部に上下に渡る支柱を設け、各支柱に商品陳列用の棚を架設して成るショーケースにおいて、棚は、棚板と、該棚板の両側を保持するブラケットとから構成され、該ブラケットは、各支柱に形成された取付孔に係脱自在に係合する係合爪を後端に有し、取付孔に進入して当該ブラケットの上下移動を規制する固定部材が着脱可能に取り付けられているので、安定してブラケットを支柱に固定することができるようになる。また、固定部材は、着脱可能に取り付けられるため、容易にブラケットを支柱から外すことが可能となり、これにより、該ブラケットの上下位置の変更が容易となり、利便性が向上する。
【０１２７】
請求項１１の発明によれば、上記発明において、固定部材は、棚板上面より下方に位置しているので、棚板取付時に、固定部材が露出する不都合を回避することができ、外観上も好適なものとなる。
【０１２８】
請求項１２の発明によれば、断熱壁内に陳列室を構成し、該陳列室内の両側後部に上下に渡る支柱を設け、各支柱に商品陳列用の棚を架設して成るショーケースにおいて、支柱は、棚が架設される複数の取付孔が上下に形成されると共に、各取付孔は、棚に陳列される複数種類の商品の高さにそれぞれ対応した位置に形成されているので、棚に陳列する商品の種類を変更する場合に、容易に棚の高さを変更することができ、使用性が著しく向上するものである。
【０１２９】
請求項１３の発明によれば、左右一対のブラケットにスライドレールを介して前後方向移動自在の棚を架設して成るショーケースにおいて、棚には、当該棚とブラケット間に位置して弾性を有するロック部材が設けられ、該ロック部材は、前端の操作部と、該操作部の後方に形成されたフック部とを具備し、当該フック部が常時ブラケット方向に付勢されると共に、ブラケットには、棚が押し込まれた際にロック部材のフック部が係脱自在に係合する係合部を設けたので、棚が押し込まれた際に、ロック部材のフック部を係合部に係合させることにより、安定して棚をブラケットに保持することができるようになる。また、ロック部材の操作部を棚方向に操作することにより、ロック部材のフック部と係合部の係合を解除することができ、容易に棚を前方向に移動させることができるようになる。
【０１３０】
また、棚とブラケット間にロック部材を設けることにより、棚を前後方向に移動させる操作を容易に行うことができるようになると共に、外観の向上を図ることができるようになる。
【０１３１】
請求項１４の発明によれば、上記発明において、係合部は、外側からブラケットに形成された挿入口を通過して棚側に臨み、当該ブラケットに固定された係合部材により構成されているので、ブラケットの構造を簡素化することができると共に、係合部材を外側からブラケットの挿入口を通過させて、該ブラケットに固定することにより、確実に係合部をブラケットに形成することができるようになる。
【０１３２】
請求項１５の発明によれば、請求項１３又は請求項１４の発明において、ブラケットの外側及び棚下側を被覆するカバー部材を備えたので、ブラケット及び棚の左右への振れを有効に防止し、当該棚の歪みを防止若しくは最小限に抑えることができるようになる。これにより、棚の前後移動がより円滑となって使用性も向上するものである。
【図面の簡単な説明】
【図１】本発明のショーケース斜視図である。
【図２】ショーケースの一部拡大縦断側面図である。
【図３】棚板を取り外した状態の陳列室内部分拡大斜視図である。
【図４】可動棚の部分拡大透視平面図である。
【図５】図４のＡ−Ａ断面図である。
【図６】棚板を取り外した状態の部分拡大斜視図である。
【図７】可動棚の分解斜視図である。
【図８】可動棚の部分拡大透視平面図である。
【図９】図８のＢ−Ｂ断面図である。
【図１０】ロック部材が保持部に収容された状態を示す斜視図である。
【図１１】陳列室内の部分斜視図である。
【図１２】可動棚の加温用ヒータの配線図である。
【符号の説明】
１  ショーケース
３  断熱壁
４  側板
６  背面パネル
７  天面パネル
７Ａ  背面部
９  ダクト
１０  デックパン
１１  陳列室
１５  冷却器
１６  上部冷気吐出口
２５、２６、２７、２８  可動棚
２９  爪
３０  ブラケット
３１  スライドレール
３１Ａ  固定側
３１Ｂ  可動側
３２、３５、５１、６６  ネジ
３３  棚板
３３Ａ  側壁
３６  棚支柱
３７、５７、８９  取付孔
３９  固定部材
４２、６３  係合爪
４６、７９、８８、９８  化粧ビス
４７、５２、６４、６５、６７、１００、１０３、１０４  係合孔
５０  カバー部材
５０Ｂ  係止部
５３  スライドレールカバー部材
５５  ロック部材
５６  操作部
５８  フック部
６１  係合部
７０  棚下冷気吐出口
７１  ダンパー部材
７７  ダンパーレール部材
８３、８４  シール部材
８７  連結部材
９１、９２、９４、９５、９７  背面パネル部材
９９  カラー付きネジ
１０１、１０２  連通部
Ｈ、Ｈ１、Ｈ２  加温用ヒータ
【図１】
2004261502.tif 000003
【図２】
2004261502.tif 000004
【図３】
2004261502.tif 000005
【図４】
2004261502.tif 000006
【図５】
2004261502.tif 000007
【図６】
2004261502.tif 000008
【図７】
2004261502.tif 000009
【図８】
2004261502.tif 000010
【図９】
2004261502.tif 000011
【図１０】
2004261502.tif 000012
【図１１】
2004261502.tif 000013
【図１２】
2004261502.tif 000014